(57)【要約】【課題】ノーマルタイプ又はリバースタイプのトレイが取り付けられる共通のソケットを有するカード用コネクタを提供する。【解決手段】導体部を有するカード部材４１と、カード部材４１が載置されるトレイ２９と、トレイ２９が取り付けられるソケット１１を有するカード用コネクタ１０であって、ソケット１１は、コンタクト１８と、ハウジング１３と、カバー体２１で構成され、トレイ２９は、カバー体１５と隣接する平面部３０と、平面部３０の両端部に設けられた側面部３２、３３と、側面部に沿った支持部３５、３６を有し、導体部が下向きに載置されるノーマルタイプのトレイ２９、又は、カバー体と隣接する平面部と、平面部の両端部に設けられた側面部を有し、導体部が上向きに載置されるリバースタイプのトレイであり、ハウジング１３には支持部３５、３６が嵌り込む溝部が形成されている。【選択図】図１
2013222631.tif 000002
【特許請求の範囲】
【請求項１】
一方の面に導体部が設けられたカード部材と、前記カード部材が載置されるトレイと、前記トレイが摺動自在に取付けられるソケットとを有するカード用コネクタであって、
前記ソケットは、前記導体部と接触される接触部を有する導電性材料で形成されたコンタクトと、前記コンタクトが装着される絶縁性材料で形成されたハウジングと、前記ハウジングが覆われる金属製のカバー体で構成され、
前記トレイは、
前記ソケット内に取り付けられたとき、前記カバー体と隣接して配置される平面部と、前記平面部の前記トレイの摺動方向に沿った両端部に設けられた一対の側面部と、前記側面部の前記平面部と反対側の各端部から前記平面部と対向し、前記側面部に沿って設けられた細板体で形成された前記カード部材の一方の面が支持される一対の支持部とを有し、前記カード部材の導体部が下方を向いて載置されるノーマルタイプのトレイ、
又は、
前記ソケット内に取り付けられたとき、前記カバー体と隣接して配置される平面部と、前記平面部の前記トレイの摺動方向に沿った両端部に設けられた一対の側面部とを有し、前記カード部材の導体部が上方を向いて載置されるリバースタイプのトレイ、であり、
前記ハウジングには、前記一対の支持部が嵌り込むことができる溝部が形成されていることを特徴とするカード用コネクタ。
【請求項２】
前記ノーマルタイプのトレイ又は前記リバースタイプのトレイは、いずれも少なくともカード部材の平面部と平行となる部分が金属材料で形成されていることを特徴とする請求項１に記載のカード用コネクタ。
【請求項３】
前記コンタクトは、前記カード部材が前記ソケットに載置されたとき、前記カード部材を上方へ押圧する弾性力を有していることを特徴とする請求項１又は２に記載のコネクタ。
【請求項４】
前記トレイの前記側面部の奥側の外面には、それぞれ第１係止部が形成され、
前記ソケット内には、前記トレイの第１係止部が係止される第２係止部が形成され、
前記トレイが前記ソケットから引き出されたとき、前記トレイの第１係止部と前記ソケットの第２係止部が係止されて前記トレイの摺動距離が規制されており、
前記トレイの手前側は、開放されていることを特徴とする請求項１〜３のいずれかに記載のカード用コネクタ。
【請求項５】
前記トレイの前記カード部材が挿入される側とは反対側には、前記カード部材の挿入が規制される壁部が形成されていることを特徴とする請求項１〜４のいずれかに記載のカード用コネクタ。
【請求項６】
前記トレイの周囲は、樹脂材料により覆われていることを特徴とする請求項２〜５のいずれかに記載のカード用コネクタ。
【請求項７】
前記トレイの前記カード部材が挿入される側の前記側面部の端部には、前記トレイを引き出すための取っ手部が形成されていることを特徴とする請求項１〜６のいずれかに記載のカード用コネクタ。
【発明の詳細な説明】
【技術分野】
【０００１】
本発明は、ＳＩＭ（Subscriber Identity Module）カードやＳＤ（Secure Digital）カード等のカード部材が装着されるカード用コネクタに関し、詳しくは、カード部材の導体部が下方を向いて載置されるノーマルタイプのトレイと、カード部材の導体部が上方を向いて載置されるリバースタイプのトレイが共通して使用できるソケットを備えたカード用コネクタに関する。
【背景技術】
【０００２】
近年、携帯電話等の携帯端末装置では、ＳＩＭカードやＳＤカード等が接続されるカード用コネクタが搭載されており、その中でもカードの出し入れが容易に行えるように各種カードが載置されるトレイが備えられ、このトレイと共にカードの出し入れが行われるいわゆるトレイ式が用いられている。トレイ式のコネクタに用いられるトレイは、一般にノーマルタイプのトレイとリバースタイプのトレイが知られている。
【０００３】
例えば、下記特許文献１にトレイタイプのカード用コネクタの発明が開示されている。下記特許文献１に開示されたカード用コネクタでは、平板状のトレイ、平板状のハウジング、カバー板、及び複数の片持ち状のコンタクトを備え、トレイは、カードが載置される略方形の第１凹部を有し、ハウジングは、プリント基板の端部に配置され、トレイが進退可能な第２凹部を有し、カバー板は、ハウジングの第２凹部を覆い、コンタクトは、ハウジングに配列され、カードの一方の面に設けた接続端子とプリント基板とを電気的に接続されている。このようにすることで、下記特許文献１に開示されたカード用コネクタによれば、構成が簡易であり、ノーマルタイプ用のトレイとリバースタイプ用のトレイとを変えるだけでよく、ハウジング、カバー板、及び複数のコンタクトで構成される本体を共用できるというメリットがあるとされている。
【先行技術文献】
【特許文献】
【０００４】
【特許文献１】特開２０１１−２３３４５４号公報
【特許文献２】特表２０１１−５１９４６４号公報
【発明の概要】
【発明が解決しようとする課題】
【０００５】
一方、トレイ式のコネクタは、コネクタに備えられたソケット本体にトレイの部品が追加された構成となるので、コネクタ自体の製品高さを低くすることが難しいという課題がある。そのため、この課題を解決するために、上記特許文献２には低背化を目的としたＳＩＭカード用コネクタの発明が開示されている。
【０００６】
上記特許文献２に開示されているＳＩＭカード用コネクタでは、ＳＩＭカードに電気接続された接続基板及び接続基板の両側に形成された案内溝ユニットにより構成されたケースと、ＳＩＭカードを載置する際に、摺動で案内溝ユニットに接続されるトレイとを具備し、トレイは、強度を向上させるために金属製であり、ＳＩＭカードを載置する底面と、摺動で案内溝ユニットと接続するために底面の縁を曲げて形成された側壁とを有している。このような構成とすることで、下記特許文献２のＳＩＭカード用コネクタによれば、ＳＩＭカードが載置されるトレイの底面は、従来の柔らかい樹脂製のトレイよりも薄く形成されながら、外力に対してより抗することができるとされている。
【０００７】
上記特許文献２に開示されているＳＩＭカード用コネクタでは、トレイが金属で形成されているが、このコネクタは、基板の下側に実装されておりＳＩＭカードの導体部が上方を向いて載置されるいわゆるリバースタイプのトレイを有するコネクタであるので、トレイが金属で形成されていてもＳＩＭカードの導体部とトレイとが短絡を起すことはない。
【０００８】
しかし、基板の上側に実装されておりＳＩＭカードの導体部が下方を向いて載置されるいわゆるノーマルタイプのトレイを有するコネクタの場合、金属で形成されたトレイでＳＩＭカードの導体部を支持しようとすると、トレイの支持する部分がＳＩＭカードの導体部と接触し短絡を起してしまうことから、通常、ノーマルタイプのトレイは絶縁性の樹脂材料で形成されている。
【０００９】
なお、トレイを樹脂で形成すると、一定の強度を保つためには樹脂をある程度厚く形成する必要があるため、トレイを小さくすることが困難となり、コネクタの低背化及び小型化を図ることが困難となる。そのため、金属で形成できるリバースタイプのトレイを用いた場合と、樹脂で形成されたノーマルタイプのトレイを用いた場合とでは、取付けられるソケットの厚さが異なり、それぞれのトレイに合わせたソケットが必要となっていた。
【００１０】
また、上記特許文献１には、「導電性を有する金属板を加工して、所望の形状のトレイを得てもよい（段落［００２２］）」との記載があるが、上述したように、ノーマルタイプのトレイを用いた場合、トレイとカード部材の導体部が接触すると短絡を起すおそれがある。そのため、カード部材の導体部が形成された面に導体部以外の絶縁性材料で形成された余分な部分が形成できればよいが、近年、使用されているＳＩＭカードやＳＤカードは小型化が進んでおり、導体部以外の部分を設けるスペースも削られているため、上記特許文献１に開示されたカード用コネクタに使用されるノーマルタイプのトレイでは、小型化が困難であるという課題もある。
【００１１】
さらに、上記特許文献１に開示されたトレイタイプのカード用コネクタのように、ノーマルタイプ用のトレイとリバースタイプ用のトレイとを変えることで、トレイの形状が変わりカードとコンタクトとの距離が変わり、カードとコンタクトとの接圧も変わってしまうという課題もある。
【００１２】
本発明はこのような従来技術が抱える課題を解決するためになされたもので、ノーマルタイプのトレイと、リバースタイプのトレイとが取付けられるソケットが共通のものを使用することができ、カード部材が載置される各トレイの少なくともカード部材の平面部と平行となる部分を金属材料で形成してもトレイの金属製の部分とカード部材の導体部とが短絡を起すことを抑制することができるカード用コネクタを提供することを目的とする。
【課題を解決するための手段】
【００１３】
上記課題を解決するために、本発明の第１の態様のカード用コネクタは、一方の面に導体部が設けられたカード部材と、前記カード部材が載置されるトレイと、前記トレイが摺動自在に取付けられるソケットとを有するカード用コネクタであって、
前記ソケットは、前記導体部と接触される接触部を有する導電性材料で形成されたコンタクトと、前記コンタクトが装着される絶縁性材料で形成されたハウジングと、前記ハウジングが覆われる金属製のカバー体で構成され、
前記トレイは、
前記ソケット内に取り付けられたとき、前記カバー体と隣接して配置される平面部と、前記平面部の前記トレイの摺動方向に沿った両端部に設けられた一対の側面部と、前記側面部の前記平面部と反対側の各端部から前記平面部と対向し、前記側面部に沿って設けられた細板体で形成された前記カード部材の一方の面が支持される一対の支持部とを有し、前記カード部材の導体部が下方を向いて載置されるノーマルタイプのトレイ、
又は、
前記ソケット内に取り付けられたとき、前記カバー体と隣接して配置される平面部と、前記平面部の前記トレイの摺動方向に沿った両端部に設けられた一対の側面部とを有し、前記カード部材の導体部が上方を向いて載置されるリバースタイプのトレイ、であり、
前記ハウジングには、前記一対の支持部が嵌り込むことができる溝部が形成されていることを特徴とする。
【００１４】
また、第２の態様のカード用コネクタは、第１の態様のカード用コネクタであって、前記ノーマルタイプのトレイ又は前記リバースタイプのトレイは、いずれも少なくともカード部材の平面部と平行となる部分が金属材料で形成されていることを特徴とする。
【００１５】
また、第３の態様のカード用コネクタは、第１又は２の態様のカード用コネクタであって、前記コンタクトは、前記カード部材が前記ソケットに載置されたとき、前記カード部材を上方へ押圧する弾性力を有していることを特徴とする。
【００１６】
また、第４の態様のカード用コネクタは、第１〜３のいずれかの態様のカード用コネクタであって、前記トレイの前記側面部の奥側の外面には、それぞれ第１係止部が形成され、
前記ソケット内には、前記トレイの第１係止部が係止される第２係止部が形成され、
前記トレイが前記ソケットから引き出されたとき、前記トレイの第１係止部と前記ソケットの第２係止部が係止されて前記トレイの摺動距離が規制されており、
前記トレイの手前側は、開放されていることを特徴とする。
【００１７】
また、第５の態様のカード用コネクタは、第１〜４のいずれかの態様のカード用コネクタであって、前記トレイの前記カード部材が挿入される側とは反対側には、前記カード部材の挿入が規制される壁部が形成されていることを特徴とする。
【００１８】
また、第６の態様のカード用コネクタは、第２〜５のいずれかの態様のカード用コネクタであって、前記トレイの周囲は、樹脂材料により覆われていることを特徴とする。
【００１９】
また、第７の態様のカード用コネクタは、第１〜６のいずれかの態様のカード用コネクタであって、前記トレイの前記カード部材が挿入される側の前記側面部の端部には、前記トレイを引き出すための取っ手部が形成されていることを特徴とする。
【発明の効果】
【００２０】
第１の態様のカード部材によれば、トレイがノーマルタイプ又はリバースタイプのいずれであっても、共通したソケットを用いることができるようになる。すなわち、ソケットに取り付けられるトレイがノーマルタイプの場合、ハウジングにはノーマルトレイに形成されたカード部材を支持する支持部が嵌り込む溝部が形成されているので、トレイに載置されたカード部材をソケットに挿入したとき、トレイの支持部がハウジングの溝部に嵌り込むようになる。一方、ソケットに取り付けられるトレイがリバースタイプのトレイである場合、ハウジングに形成された溝部はソケットとトレイの装着に関しては、ハウジングに形成された溝部は関係ないため、カード部材をコネクタに問題なく装着することができるようになる。さらに、ノーマルタイプのトレイに形成された支持部がハウジングに形成された溝部に嵌り込むことで、ノーマルタイプ及びリバースタイプのどちらのトレイを用いても、カード部材とコンタクトとの距離が等しくなることでカード部材とコンタクトとの接圧も等しくすることができるようになる。よって、第１の態様のカード用コネクタによれば、ノーマルタイプのトレイとリバースタイプのトレイを共通のソケットに取り付けることができ、異なる形状のソケットを形成する必要がなくなり、製造コストを抑えることができる。
【００２１】
また、第２の態様のコネクタによれば、トレイの少なくともカード部材の平面部と平行となる部分が金属材料で形成されていることでトレイを薄く形成しても高強度を得るため、カード用コネクタの低背化を図ることができる。また、ハウジングにはトレイに形成されたカードを支持する支持部が嵌り込む溝部が形成されているので、トレイに載置されたカード部材をソケットに挿入したとき、トレイの支持部がハウジングの溝部に嵌り込むようになり、金属材料で形成されたトレイの支持部とカード部材の導体部が接触し短絡を起すことを抑制することができる。
【００２２】
また、第３の態様のコネクタによれば、カード部材がソケットに載置されたとき、カード部材の導体部は弾性力を有するコンタクトにより押圧されため、カード部材の導体部とコンタクトの接触をより確実にできるようになる。
【００２３】
また、第４の態様のカード用コネクタによれば、トレイがソケットから取り外しできない構成とすることで、従来例のようにカード部材を安定して配置させる壁等をトレイの手前側に形成しなくても、トレイ自体が安定することで、カード部材を安定して載置させることができるようになる。また、トレイにこの壁等を形成しなくもよいためトレイを小型にすることができ、よりカード用コネクタを小型にすることができる。さらに、トレイの手前側を開放しこの開放された部分からカード部材の抜き差しを行うことができるようになり、カード部材の挿入が容易に行うことができる。また、トレイがソケットから取り外しできない構成とすることで、トレイが紛失するおそれがなくなる。
【００２４】
また、第５の態様のカード用コネクタによれば、トレイに挿入されるカード部材が壁部により挿入が止められるため、カード部材を所定の位置に配置することが容易になる。また、カード部材を押圧することで、トレイごとソケット内に押し込むことができ、カード部材及びトレイの挿入が容易に行うことができる。
【００２５】
また、第６の態様のカード用コネクタによれば、使用者の手に触れるトレイの周囲が樹脂材料で覆われているので、使用者が金属製の端部で負傷することを抑制することができる。
【００２６】
また、第７の態様のカード用コネクタによれば、トレイの引き出しが容易となる。
【図面の簡単な説明】
【００２７】
【図１】実施形態１のカード用コネクタ及びカード部材の斜視図である。
【図２】実施形態１のカード用コネクタを構成するソケット及びトレイの斜視図である。
【図３】図３Ａは図２のIIIA−IIIA線での断面図であり、図３Ｂは図３ＡのIIIB部の部分拡大図である。
【図４】実施形態１のハウジング及びコンタクトの斜視図である。
【図５】実施形態１のトレイの斜視図である。
【図６】図６Ａはトレイにカード部材を載置させた状態の上方からの斜視図であり、図６Ｂは下方からの斜視図である。
【図７】図７Ａ〜図７Ｃはカード用コネクタにカード部材を装着させる工程を示した斜視図である。
【図８】図８Ａは図７ＣのVIIIA部のカード部材を省略した部分拡大図であり、図８Ｂは図７ＣのVIIIB部のカード部材を省略した部分拡大図である。
【図９】図７ＣのIX方向からみた部分拡大図である。
【図１０】実施形態２のカード用コネクタ及びカード部材の斜視図である。
【図１１】実施形態２のカード用コネクタを構成するソケット及びトレイの斜視図である。
【図１２】図１２Ａは図１１のXIIA−XIIA線での断面図であり、図１２Ｂは図１２ＡのXIIB部の部分拡大図である。
【図１３】図１３Ａ〜図１３Ｃはカード用コネクタにカード部材を装着させる工程を示した斜視図である。
【発明を実施するための形態】
【００２８】
以下、図面を参照して本発明の実施形態を説明する。ただし、以下に示す実施形態は、本発明の技術思想を具体化するためのカード用コネクタを例示するものであって、本発明をこれに特定することを意図するものではなく、特許請求の範囲に含まれるその他の実施形態のものにも等しく適応し得るものである。
【００２９】
［実施形態１］
図１〜図９を参照して、実施形態１のカード用コネクタ（以下、単に「コネクタ」という。）１０について説明する。コネクタ１０は、図１及び図２に示すように、平板状のカード部材４１が載置されるトレイ２９と、トレイ２９が摺動可能に取付けられるソケット１１とで構成され、不図示の基板等に実装されて用いられる。なお、実施形態１のコネクタ１０では、カード部材４１は一方の面に導体部４２（図６Ｂ参照）が形成されており、この導体部４２が下方を向いてトレイ２９に載置されるいわゆるノーマルタイプのコネクタである。また、以下においては、コネクタにカード部材が挿入される側を手前側とし、その反対側を奥側とする。
【００３０】
まず、図１〜４を参照して実施形態１のソケット１１について説明する。ソケット１１は、導電性材料で形成される複数のコンタクト１８と、コンタクト１８が装着された絶縁性材料で形成されたハウジング１３と、このハウジング１３が覆われるカバー体とで構成され、一方にトレイ２９が摺動されて出し入れされるような開口部１２が形成されている。
【００３１】
ハウジング１３は、図４に示すような略方形状の平板体に構成された絶縁性の樹脂材料で形成されている。この平板体のトレイ２９の摺動方向に沿った両端辺には、一部に切欠き１５ａが設けられた立設部１５を有しており、この立設部１５の外側には複数の突起１６が形成されている。この切欠き１５ａ及び突起１６は、後述するカバー体２１との装着に用いられる。
【００３２】
また、ハウジング１３には、後述するコンタクト１８が配設されたときコンタクト１８の一部が突出される複数の開口１４が形成されている。さらに、ハウジング１３の両端辺側には、他の部分のハウジング１３の厚さよりも薄く形成された溝部１７がそれぞれ形成されている。この溝部１７は、後述するトレイ２９の一対の支持部３５、３６が嵌り込むことができる形状及び深さに形成されている。
【００３３】
コンタクト１８は、図４に示すように、カード部材４１に設けられた複数に区分けされた導体部４２と接触される接触部１９と、コネクタ１０が基板等に実装されたとき基板と接続される接続部２０とを有し、各接触部１９及び接続部２０と不図示のコンタクト本体とで一体に導電性材料で形成され、ハウジング１３と一体にモールド成形されている。ハウジング１３の開口１４から突出されているコンタクト１８の接触部１９は、それぞれが弾性変形されるように形成されており、ソケット１１に装着されたカード部材４１により変形されるのに抗して、カード部材４１を上方に押圧されるようになる。また、接続部２０はハウジング１３の一方の端面から突出されて設けられている。
【００３４】
カバー体２１は、図１及び図２に示すように、ハウジング１３と対向するように設けられた平板状の上面２２と、この上面２２のトレイ２９の摺動方向に沿った両端辺が屈曲されて形成された側面２３、２４とを有している。一対の側面２３、２４には、前述したハウジング１３の立設部１５に形成された切欠き１５ａ及び突起１６と対応するように、延設部２６及び係合孔２７が形成されている。
【００３５】
また、カバー体２１のトレイ２９が出入りする側と反対側には、上面２２の一部がハウジング側へ延設して形成された規制部２８が形成されている。この規制部２８はトレイ２９が挿入されたとき、トレイ２９が行き過ぎないように規制する部分となる。さらに、カバー体２１の延設部２６及び規制部２８の底部は、コネクタ１０が基板に実装されたとき、基板と半田等で固定される部分ともなり、コネクタの実装を強固にすることができる。また、ソケット１１の開口部１２と近接するカバー体２１の両側面２３、２４には、突起状の第２係止部２５がそれぞれ形成されている。なお、カバー体は金属材料で形成されている。
【００３６】
次に、図５及び図６を参照してトレイ２９について説明する。トレイ２９は、カード部材４１をコネクタ１０に装着させる際にカード部材４１を載置させ、カード部材４１をソケット１１から出し入れするためのものである。
【００３７】
トレイ２９は、ソケット１１に載置されたとき、上側に配置される平面部３０と、この平面部３０のトレイ２９の摺動方向に沿った両端部から屈曲されて設けられた一対の側面部３２、３３と、この側面部３２、３３の下方から平面部３０と対向するように平行に設けられた一対の支持部３５、３６とで構成されており、これらは金属材料で一体に形成されており、側面部３２、３３は後述する樹脂等で形成された保護部で覆われている。
【００３８】
平面部３０は、トレイ２９の本体となる部分であり、面積の大きな板状体で形成されている。また、平面部３０の手前側、すなわちカード部材４１が挿入される側には、カード部材４１を抜き取りやすいように切り欠き部３１が形成されている。このトレイ２９がソケット１１に取付けられたとき、トレイ２９の平面部３０がソケット１１のカバー体２１の上面２２側に配置される。
【００３９】
側面部３２、３３は、平面部３０の一対の端辺から屈曲して形成されており、トレイ２９に載置されるカード部材４１の厚さに比べわずかに厚く形成されている。すなわち、トレイ２９にカード部材４１が載置されたとき、後述する支持部３５、３６とカード部材４１との間にわずかな隙間が形成されるように側面部３２、３３が形成される。また、側面部３２、３３の奥側、すなわちカード部材４１が挿入される側と反対側には、ソケット１１のカバー体２１に形成された突起状の第２係止部２５と係止される窪み状の第１係止部３４が形成されている。
【００４０】
支持部３５、３６は、トレイ２９にカード部材４１が載置されたとき、カード部材４１の導体部４２を支持する部分となり、側面部３２、３３の下側から平面部３０と対向して屈曲して設けられた一対の細板体で形成されている。支持部３５、３６は、側面部３２、３３に沿って形成されており、ハウジング１３のコンタクト１８が設けられた部分に掛からないように形成されている。支持部３５、３６の形状は、カード部材４１が支持できる大きさ及び形状であれば、図６Ｂに示した形状以外でも、ハウジング１３に形成された溝部１７に嵌り込む形状に形成することができる。
【００４１】
なお、トレイ２９の奥側にはカード部材４１が挿入されたときに、カード部材４１の挿入が規制される壁部３７が側面部３２、３３及び平面部３０から延設されて形成されている。また、トレイ２９の手前側には、ソケット１１に挿入されたトレイ２９を引き抜きやすくするための取っ手部３８が側面部３２、３３の少なくとも一方に立設されている。さらに、トレイ２９の手前側はカード部材４１が挿入できるように開放された開放部４０が設けられている。
【００４２】
なお、実施形態１のトレイ２９は金属材料で形成されているので、使用者がトレイ２９の側面部３２、３３、手前側及び奥側等に触れて怪我すること等を抑制するために、樹脂等で形成された保護部３９で覆われている。この保護部３９は、金属材料で形成されたトレイを樹脂等でモールド成形して形成される。また、この保護部３９は樹脂等で形成されているが、その目的は使用者の保護にあるため、極薄く形成されていればよく、トレイの低背化にはほとんど影響を与えない。
【００４３】
次に、主に図７〜図９を参照してコネクタ１０へのカード部材４１の装着と取り外しについて説明する。まず、コネクタ１０へのカード部材４１の装着については、図７Ａに示すように、コネクタ１０のソケット１１からトレイ２９を引き出す。このとき、実施形態のコネクタ１０は、いわゆるノーマルタイプのトレイ２９が用いられているので、カード部材４１の導体部４２が下方を向くようにして用意する。
【００４４】
次に、図７Ｂに示すように、カード部材４１をトレイ２９の手前側が開放された開放部４０から挿入する。このとき、カード部材４１はトレイ２９の支持部３５、３６の上に載置された状態であるので、カード部材４１の導体部４２とトレイ２９の支持部３５、３６は接触した状態である（図６Ｂ参照）。このとき、コネクタ１０には通電されていないので、カード部材４１とトレイ２９とが短絡することはない。また、トレイ２９の奥側には壁部３７が形成されているので、カード部材４１は壁部３７と当接することで挿入が規制され、定位置に配置されることになる（図６Ａ、図６Ｂ参照）。
【００４５】
その後、図７Ｃに示すように、ソケット１１内にカード部材４１及びトレイ２９を押し込み、ソケット１１に装着させる。このとき、ソケット１１のカバー体２１の奥側に形成された規制部２８によりトレイ２９の挿入が規制されて定位置に配置されることになる。そして、トレイ２９に形成された支持部３５、３６はハウジング１３に形成された溝部１７に嵌り込み（図３、図８Ａ、図８Ｂ参照）、また、カード部材４１はハウジング１３に設けられたコンタクト１８の接触部１９と導体部４２が接触することによって、カード部材４１が上方へ押し上げられるため、図９に示すようにカード部材４１とトレイ２９の支持部３５、３６との間に隙間４３が設けられることになる。
【００４６】
このようにすることで、ノーマルタイプのトレイ２９を金属材料で形成してもカード部材４１との短絡を抑制できるようになる。さらに、トレイ２９を金属材料で形成することができるようになるため、トレイの厚さを薄く形成することができ、結果として、コネクタの低背化を図ることができる。なお、トレイは少なくともカード部材の平面部と平行となる部分、すなわち実施形態１では平面部及び支持部が金属材料で形成されることでトレイを薄く形成することができ、コネクタの低背化を図ることができる。また、コンタクト１８の接触部１９にカード部材４１が接触することにより変形され弾性力が発生するようにしておくことで、カード部材４１とトレイ２９の支持部３５、３６との間に隙間をより確実に設けることができるようになる。
【００４７】
次に、コネクタ１０からカード部材４１の取り外しについて説明する。カード部材４１をコネクタ１０から取り外す場合は、まず、図７Ｃに示すようにコネクタ１０に挿入されたトレイ２９をカード部材４１が載置された状態のまま引き抜く。すなわち、トレイ２９の手前側の側面部３２に設けられた取っ手部３８を指等で引っ掛けて引き抜き、図７Ｂに示すような状態にする。その後、カード部材４１の手前側を指等で摘み、そのまま引き抜くことでカード部材４１の取り外しが行われる（図７Ａ参照）。このとき、トレイ２９の平面部３０には手前側に切り込み部３１が設けられているので、カード部材４１を引き抜きやすくなっている。
【００４８】
［実施形態２］
実施形態１のコネクタではノーマルタイプのトレイが取り付けられた場合を説明したが、実施形態２のコネクタではリバースタイプのトレイが取り付けられた場合を説明する。なお、実施形態１のコネクタと共通する構成には、同一の符号を付してそれらの詳細な説明は省略する。
【００４９】
図１０〜図１３を参照して、実施形態２のコネクタについて説明する。実施形態２のコネクタ１０Ａは、実施形態１のコネクタ１０と同様に、平板状のカード部材４１が載置されるトレイ２９Ａと、トレイ２９Ａが摺動可能に取付けられるソケット１１とで構成され、不図示の基板等に実装されて用いられる。なお、実施形態２のコネクタ１０Ａは、図１０に示すように、カード部材４１は一方の面に導体部４２が形成されており、この導体部４２が上方を向いてトレイ２９Ａに載置されるいわゆるリバースタイプのコネクタ１０Ａである。また、以下においては、コネクタにカード部材が挿入される側を手前側とし、その反対側を奥側とする。
【００５０】
実施形態２のソケット１１は、実施形態１のソケット１１と同様の構成を有している。すなわち、図１、図２、図４、図１０〜図１２に示すように、ソケット１１は、導電性材料で形成される複数のコンタクト１８と、コンタクト１８が装着された絶縁性材料で形成されたハウジング１３と、このハウジング１３が覆われるカバー体とで構成され、一方にトレイ２９が摺動されて出し入れされるような開口部１２が形成されている。
【００５１】
なお、実施形態２のハウジング１３にもトレイの摺動方向と平行な両端部には溝部１７が形成されていることは、実施形態１のハウジング１３と同様である。また、実施形態２のソケット１１は、コネクタ１０Ａにリバースタイプのトレイ２９Ａが取り付けられるため、実施形態１のソケット１１に対し、天地を逆にした状態で基板等に実装されるようになる（図１０参照）。なお、ソケット１１を構成するハウジング１３、コンタクト１８及びカバー体２１の構成は、実施形態１のハウジング１３、コンタクト１８及びカバー体２１の各構成と共通するので、詳細な説明は省略する。
【００５２】
次に、図１０〜図１２を参照して実施形態２のトレイ２９Ａについて説明する。実施形態２のトレイ２９Ａは、カード部材４１をコネクタ１０Ａに装着させる際に、カード部材４１を載置させてカード部材４１をソケット１１から出し入れするためのものである。トレイ２９Ａは、ソケット１１に載置されたとき、下側に配置される平面部３０Ａと、この平面部３０Ａのトレイ２９Ａの摺動方向に沿った両端部から屈曲されて設けられた一対の側面部３２Ａ、３３Ａとで構成されており、これらは金属材料で一体に形成されており、側面部３２Ａ、３３Ａは後述する樹脂等で形成された保護部で覆われている。
【００５３】
平面部３０Ａは、トレイ２９Ａの本体となる部分であり、面積の大きな板状体で形成され、この面にカード部材４１が導体部４２を上側にして載置されることになる。側面部３２Ａ、３３Ａは、平面部３０Ａの一対の端辺から屈曲して形成されており、この側面部によりトレイ２９Ａに載置されるカード部材４１をガイドしてトレイ２９Ａの平面部３０Ａの定位置へ配置されるようになる。また、側面部３２Ａ、３３Ａの奥側、すなわちカード部材４１が挿入される側と反対側には、ソケット１１のカバー体２１に形成された突起状の第２係止部２５と係止される窪み状の第１係止部３４Ａが形成されている。なお、トレイは少なくともカード部材の平面部と平行となる部分、すなわち実施形態２では平面部を金属材料で形成することでトレイを薄く形成することができ、コネクタの低背化を図ることができる。
【００５４】
また、トレイ２９Ａの奥側にはカード部材４１が挿入されたときに、カード部材４１の挿入が規制される壁部３７Ａが側面部３２Ａ、３３Ａ及び平面部３０Ａから延設されて形成されている。さらに、トレイ２９Ａの手前側には、ソケット１１に挿入されたトレイ２９Ａを引き抜きやすくするための取っ手部３８Ａが側面部３２Ａ、３３Ａの少なくとも一方に立設されている。さらにまた、トレイ２９Ａの手前側にはカード部材４１が挿入できるように開放された開放部４０Ａが設けられている。
【００５５】
なお、実施形態２のトレイ２９Ａは金属材料で形成されているので、使用者がトレイ２９Ａの側面部３２Ａ、３３Ａ、手前側及び奥側等に触れて怪我すること等を抑制するために、樹脂等で形成された保護部３９Ａで覆われている。この保護部３９Ａの効果は実施形態１と同様である。
【００５６】
次に、主に図１２及び図１３を参照してコネクタ１０Ａへのカード部材４１の装着と取り外しについて説明する。まず、コネクタ１０Ａへのカード部材４１の装着については、図１３Ａに示すように、コネクタ１０Ａのソケット１１からトレイ２９Ａを引き出す。このとき、実施形態２のコネクタ１０Ａは、いわゆるリバースタイプのトレイ２９Ａが用いられているので、カード部材４１の導体部４２が上方を向くように用意する。
【００５７】
次に、図１３Ｂに示すように、カード部材４１をトレイ２９Ａの手前側が開放された開放部４０Ａから挿入する。このとき、カード部材４１はトレイ２９Ａの平面部３０Ａの上に載置された状態である。なお、トレイ２９Ａの奥側には壁部３７Ａが形成されているので、カード部材４１は壁部３７Ａと当接することで挿入が規制され、定位置に配置されることになる。
【００５８】
その後、図１３Ｃに示すように、ソケット１１内にカード部材４１及びトレイ２９Ａを押し込み、ソケット１１に装着させる。このとき、ソケット１１のカバー体２１の奥側に形成された規制部２８によりトレイ２９Ａの挿入が規制されて定位置に配置されることになる。そして、カード部材４１はハウジング１３に設けられたコンタクト１８の接触部１９と導体部４２が接触することになる。このとき、ハウジング１３に形成された溝部１７は、実施形態２のリバースタイプのトレイ２９Ａの出し入れについて関係ないため、問題なく行うことができる（図１２参照）。
【００５９】
このようにすることで、実施形態２の金属材料で形成されたリバースタイプのトレイ２９Ａは、実施形態１と共通するソケット１１を用いたコネクタ１０Ａに装着することができるようになる。なお。コンタクト１８の接触部１９にカード部材４１が接触することにより変形され弾性力が発生するようにしておくことで、カード部材４１が押圧されることで導体部４２と確実に接触させることができるようになる。
【００６０】
次に、コネクタ１０Ａからカード部材４１の取り外しについて説明する。カード部材４１をコネクタ１０Ａから取り外す場合は、まず、図１３Ｃに示すようにコネクタ１０Ａに挿入されたトレイ２９Ａをカード部材４１が載置された状態のまま引き抜く。すなわち、トレイ２９Ａの手前側の側面部３３Ａに設けられた取っ手部３８Ａを指等で引っ掛けて引き抜き、図１３Ｂに示すような状態にする。その後、カード部材４１の手前側を指等で摘み、そのまま引き抜くことでカード部材４１の取り外しが行われる（図１３Ａ参照）。
【００６１】
以上のように、実施形態２のリバースタイプのトレイ２９Ａを用いたコネクタ１０Ａでは、実施形態１のノーマルタイプのトレイ２９を用いたコネクタ１０とでは、ハウジングに溝部１７を形成し、この溝部１７にノーマルタイプのトレイ２９を構成する支持部３５、３６が嵌り込むようにすることで、天地を逆にした状態ではあるが共通の構成を有したソケット１１を使用することができる。そのため、従来、リバースタイプのトレイを金属製とし、ノーマルタイプのトレイを樹脂性材料で形成していたものを、ノーマルタイプ及びリバースタイプのトレイをどちらも金属材料で同じ厚さで形成することができるようなるため、それぞれのトレイに合わせて異なる形状のソケットを製造する必要がなく、製造コストを抑えることができるようになる。さらに、ノーマルタイプのトレイに形成された支持部がハウジングに形成された溝部に嵌り込むことで、ノーマルタイプ及びリバースタイプのどちらのトレイを用いても、カード部材とコンタクトとの距離が等しくなることでカード部材とコンタクトとの接圧も等しくすることができるようになる。
【００６２】
なお、実施形態１及び２のコネクタ１０、１０Ａでは、トレイ２９、２９Ａはソケット１１から抜けない構造となっている。すなわち、ソケット１１からトレイ２９、２９Ａを引き抜こうとしたとき、ソケット１１のカバー体２１に形成された第２係止部２５とトレイ２９、２９Ａの側面部３２、３２Ａ、３３、３３Ａに形成された第１係止部３４、３４Ａとが係止されるので、トレイ２９、２９Ａはソケット１１から抜けなくなる。このようにすることで、従来、カード部材４１を安定して配置させる壁等をトレイ２９、２９Ａの手前側に形成しなくても、トレイ自体の配置状態が安定するため、カード部材４１を問題なく載置させることができる。また、トレイ２９、２９Ａにこの壁等を形成しなくもよいため、トレイ２９、２９Ａを小型にすることができ、よりコネクタ１０、１０Ａを小型にすることができる。さらに、トレイ２９、２９Ａの手前側を開放し、この開放された部分からカード部材４１の抜き差しを容易に行うことができるようになるとともに、トレイ２９、２９Ａの紛失を抑制することができる。
【符号の説明】
【００６３】
１０、１０Ａ：コネクタ
１１：ソケット
１２：開口部
１３：ハウジング
１４：開口
１５：立設部
１５ａ：切欠き
１６：突起
１７：溝部
１８：コンタクト
１９：接触部
２０：接続部
２１：カバー体
２２：上面
２３、２４：側面
２５：第２係止部
２６：延設部
２７：係合孔
２８：規制部
２９、２９Ａ：トレイ
３０、３０Ａ：平面部
３１：切り欠き部
３２、３２Ａ、３３、３３Ａ：側面部
３４、３４Ａ：第１係止部
３５、３６：支持部
３７、３７Ａ：壁部
３８、３８Ａ：取っ手部
３９、３９Ａ：保護部
４０、４０Ａ：開放部
４１：カード部材
４２：導体部
４３：隙間
【図１】
2013222631.tif 000003
【図２】
2013222631.tif 000004
【図３】
2013222631.tif 000005
【図４】
2013222631.tif 000006
【図５】
2013222631.tif 000007
【図６】
2013222631.tif 000008
【図７】
2013222631.tif 000009
【図８】
2013222631.tif 000010
【図９】
2013222631.tif 000011
【図１０】
2013222631.tif 000012
【図１１】
2013222631.tif 000013
【図１２】
2013222631.tif 000014
【図１３】
2013222631.tif 000015